(57)【要約】【課題】コネクタ端子の使用効率を高めて、製品が頻繁に挿抜使用を満たすことができる基板に対する基板用コネクタを提供する。【解決手段】端子座体１、複数の電気端子２及び端子座体１の両側に挿し込まれた固定片３を含む。端子座体１は、基体１１の底表面から凹んで頂面に複数の電気端子２が設けられている収容溝１２が貫通して、収容されているすべての電気端子２は尖端接触部２１と固定部２２とを有する。固定部２２と尖端接触部２１との間に接続されているものは、一段多層双方向Ｕ形態のデザインの弾性部２３である。固定片３は、端子座体１の両側の凸部１３の広い溝１３１内に挿し込まれて固定された後、回路基板と接続して回路信号の伝送を実現する。【選択図】図２
0003127800.tif 000002
【実用新案登録請求の範囲】
【請求項１】
端子座体、複数の電気端子及び端子座体の両側に挿し込まれた固定片を備え、
当該端子座体は基体の底表面から凹んで頂面に複数の電気端子が設けられている収容溝が貫通し、収容されているすべての電気端子は尖端接触部と固定部とを有し、固定部と尖端接触部との間に接続されているのは略Ｕ字形状の弾性部であって、固定片は端子座体の両側の凸部の広い溝内に挿し込まれて固定され、回路基板と接続されて回路信号を伝送可能であることを特徴とする基板に対する基板用コネクタ。
【請求項２】
当該端子座体の収容溝の頂部の両側に端子押当肩部が形成され、基体の両側の突き出る凸部は固定片が挿し込まれた広い溝を有し、尖端接触部はＵ形の弾性部と連接して固定肩部を形成し、他の一端は活動鉤部を形成し、固定部には収容溝の壁面と連接する干渉部が設けられていることを特徴とする請求項１に記載の基板に対する基板用コネクタ。
【請求項３】
固定片は、Ｔ字形態を呈し、固定片の中間に広い溝に固定される斜めに配置されている鉤点が設けられていることを特徴とする請求項１に記載の基板に対する基板用コネクタ。
【考案の詳細な説明】
【技術分野】
【０００１】
本考案は、基板に対する基板用コネクタを提供して、それは、多層双方向Ｕ形態の結構を有する端子弾性部で良好な弾性作用を有するため、端子が変形することを防止できて、それによって、製品が頻繁に挿抜使用を満たすことができる基板に対する基板用コネクタに関する。
【背景技術】
【０００２】
基板に対する基板用コネクタは、プリント配線板に設置されて、電子製品装置の間の通信伝送に提供される。現在、基板に対する基板用コネクタは、主に、二つの結構形態を有して、その一つはコンセントとプラグコネクタの組合式で構成されて、その他は単一電気コネクタが単独で使用されて、即ち、単一電気コネクタの溶接端と接触端でそれぞれ一つの配線板を加えて信号接続を実現する。これらの基板に対する基板用コネクタの結構は比較的簡単で、米国の特許番号ＵＳ６，２７９，９４１とＵＳ６，１４２，７９０を例として、当該二つの出願で開示された基板に対する基板用コネクタは単一コネクタを結構として、その二つの公開された出願を分析することにより、この二件の特許出願は明らかな不足がある。まず、端子が配線板と押し当てる弾性接触部は、設置部との間にわりに大きな角度を維持して、しかも弾性接触部は大量に絶縁本体の上表面を超えて、配線板が押さえられる時、弾性接触部に絶縁本体の上表面を左右平均で押さえさせて、その加える力はわりに大きいため、作業に不便となって、しかも端子の回復力はわりに劣る。次に、長い時間で使用された後、弾性接触部は弾性を回復することにわりに劣って、絶縁本体の上表面にいっそう突き出て、使用に不便となって、上述の多種で不利な要素に基づいて現在の基板に対する基板用コネクタを改善する必要性がある。
【考案の開示】
【考案が解決しようとする課題】
【０００３】
本考案の主な目的は、基板に対する基板用コネクタを提供して、それは、コネクタ端子の多層双方向Ｕ形態の結構を利用して、コネクタ端子の使用効率を高めて、製品が頻繁に挿抜使用を満たすことができる基板に対する基板用コネクタに関することである。
【課題を解決するための手段】
【０００４】
本考案の目的を達するために、下記の技術方案を採用して実現する。当該基板に対する基板用コネクタは、立ち式の構造状態を呈して、それは、端子座体、端子座体に収容された複数の電気端子及び端子座体の両側に挿し込まれた固定片で構成される。当該端子座体は、基体を有して、当該基体の底表面から凹んで頂部表面に複数の電気端子を設けた収容溝が貫通して、すべての収容溝に向いて延伸して形成される時、頂部の両側に押当肩部を形成して、基体の軸向方向の両側はそれぞれ外へ向き、凸部を設けて、しかも凸部内に固定片が差し込まれた広い溝を設ける。すべての電気端子は、尖端接触部と固定部を有して、尖端接触部と固定部との間に接続されたものは一段多層双方向Ｕ形態のデザインの弾性部であって、圧力を受けた時、幾重にも吸収して、端子変形の幅はとても小さくて、当該弾性部は製品が頻繁に挿抜使用を満たすことを提供できて、良好な弾性回復力を有して、前記尖端接触部は浮遊状態を呈して、Ｕ形の弾性部と連接して固定肩部を形成して、他の一端は活動鉤部を形成して、電気端子が収容溝に収容された時、固定肩部と活動鉤部は収容溝の押当肩部に押し付けられるため、安定な端子を生じることができる。前記固定部の正反面には収容溝の壁面としっかり固定される電気端子の干渉部を設けて、固定部の両側縁に沿ってそれぞれ溶接脚片が延び出して、固定片は端子座体にしっかり押し込まれた後、配線板に連接することできて、コネクタ溶接端は配線板と溶接を通じてコネクタの固定を達成できて、尖端接触部は配線板に押し当てられて圧力を受けて、即ち、電気端子は上下二つの回路に連接されて電子製品による装置信号の信頼性を実現する。
【考案を実施するための最良の形態】
【０００５】
本考案の構造と技術特徴をこの技術を熟知する専門者にいっそう分からせ、特に、実施例を図面と合わせて詳細に下記の如く説明する。
図１に示すように、本考案の一実施例による基板に対する基板用コネクタ５０は、立ち式の構造態様であって、端子座体１、複数の電気端子２及び配線板に固定された固定片３で構成される。図２及び図３に示すような結構を合わせて、当該基板に対する基板用コネクタ５０の結構を一つずつ説明する。当該端子座体１は、基体１１を有して、当該基体１１の底表面から凹んで頂部表面に複数の電気端子２を設けた収容溝１２が貫通して、収容溝１２は封じ板であって、単一の収容溝１２と毎の二つ端子収容溝１２との間の相通で部品の加工と組立に便利性をもたらして、収容溝１２の壁面が減少するため、電気端子２を組み立てる時、妨害力をわりに小さくして、毎の収容溝１２へ向いて延伸して形成する時、収容溝１２頂部の両側に押当肩部１２１を形成して、当該押当肩部１２１は電気端子２を安定させて、電気端子２の尖端接触部２１が全部端子座体１の表面に突き出る。端子座体１の軸向方向の両側はそれぞれ外へ向き、凸部１３を設けて、しかも凸部１３内に固定片３が差し込まれた広い溝１３１を設ける。
【０００６】
すべての電気端子２は、金属板体で一体パンチング成形（punching & forming）して、すべての電気端子２は尖端接触部２１と固定部２２を有して、尖端接触部２１と固定部２２との間に接続されたものは一段多層双方向Ｕ形の弾性部２３であって、当該弾性部２３は良好な弾性での優点を有するため、電気端子２の完整性を保障できて、端子が圧力を受けた時、Ｕ形の弾性部２３は層々の圧力を受けて、外力作用を失う時、最小の時間内に原形を回復できて、電気端子２の使用率を高めるために、尖端接触部２１が弾性部２３と連接する一端には外へ向いて固定肩部２１１を設けて、他の一端には活動鉤部２１２を形成して、電気端子２を端子座体１の収容溝１２内に組み立てる時、固定肩部２１１と活動鉤部２１２は収容溝１２頂部の両側の押当肩部１２１に押し付けられるため、端子作用を安定させると共に、端子接触部２１が外力を失って弾性を回復する時、端子接触部２１は全部端子座体１の表面に突き出る。前記固定部２２板体の正反面縦横方向には収容溝１２壁面としっかり固定される干渉部２２１を設けて、固定部２２の両側縁に沿ってそれぞれ溶接脚片２４が延び出して、配線板と固定されて、しかも信号接続を保持させる。
固定片３は、端子座体１の凸部１３の広い溝１３１内に挿し込まれて、コネクタの定位と固定を便利にさせて、その結構は相対して簡単で、固定片３はＴ字形態を呈して、固定片３に内向き或いは外へ向いて斜めに配置した鉤点３１を設けて、広い溝１３１とフックさせる。
【０００７】
本実施例の基板に対する基板用コネクタ５０は、電気端子２を端子座体１底表面の収容溝１２に導入させて、固定肩部２１１と活動鉤部２１２は収容溝１２頂部の両側の押当肩部１２１に押し付けられて、電気端子２の干渉部２２１は収容溝１２壁面と相互に干渉して固定を達して、固定片３は広い溝１３１内に置かれて配線板に定位されて、同時に、電気端子２の溶接脚片２４と固定されて配線板に溶接されて、基板に対する基板用コネクタ５０の他の尖端接触部２１は別の配線板と接続して、尖端接触部２１は外力作用で内に向いて圧縮して、この時、Ｕ形の弾性部２３は力を受けて、外力を失う時、弾性部２３は弾性作用で原形を回復するため、尖端接触部２１は元の位置に戻って、活動鉤部２１２は押当肩部１２１に押し付けられて、次は、弾性の回復する過程で弾性が大き過ぎて尖端接触部２１が元の位置を超えることを防止して、コネクタの使用中の最初から最後までの完整性を保障することで、良好な通信信号の伝送を実現する。
本考案で開示された結構の実施形態は、容易に本考案を説明することであって、本考案の範囲を限定するわけにはならない。本考案の明細書を介してこの技術が分かる方は、本考案にかかる精神を離れずに、少し変更することができて、従って、本考案と類似する結構と見なされて、本考案による請求の範囲に含まれる。
【図面の簡単な説明】
【０００８】
【図１】本考案の一実施例による基板に対する基板用コネクタを示す斜視図である。
【図２】本考案の一実施例による基板に対する基板用コネクタを示す分解斜視図である。
【図３】本考案の一実施例による基板に対する基板用コネクタを示す断面図である。
【符号の説明】
【０００９】
１：端子座体、２：電気端子、３：固定片、１１：基体、１２：収容溝、１３：凸部、２１：尖端接触部、２２：固定部、２３：Ｕ形弾性部、２４：溶接脚片、３１：鉤点、５０：基板に対する基板用コネクタ、１２１：押当肩部、１３１：広い溝、２２１：干渉部
【図１】
0003127800.tif 000003
【図２】
0003127800.tif 000004
【図３】
0003127800.tif 000005